(57)【要約】【課題】建物へのブレースの組込みを施工容易に行うことができ、しかも、建物に対する構造設計の負担を軽くすることができる、建物におけるブレース取付け構造等を提供する。【解決手段】ブレース５をパネルフレーム４に組み付けたブレースパネル１を用い、これを建物に組み付けることで建物にブレース５を備えさせる、建物におけるブレースの取付け構造において、前記ブレースパネル１のブレース５の両端部に、ジョイント用金物６が備えられ、該ジョイント用金物６が、建物の柱２や梁３に接合され、ブレース５にかかる力がジョイント用金物６を通じて柱２や梁３に直接伝えられるようになされている。【選択図】      図１
2005282144.tif 000002
【特許請求の範囲】
【請求項１】
ブレースをパネルフレームに組み付けたブレースパネルを用い、これを建物に組み付けることで建物にブレースを備えさせる、建物におけるブレースの取付け構造において、
前記ブレースパネルのブレースの両端部に、ジョイント用金物が備えられ、該ジョイント用金物が、建物の柱及び／又は横架材に接合され、ブレースにかかる力がジョイント用金物を通じて柱及び／又は横架材に直接伝えられるようになされていることを特徴とする、建物におけるブレース取付け構造。
【請求項２】
ブレースをパネルフレームに組み付けたブレースパネルであって、
ブレースの両端部に、建物の柱及び／又は横架材に接合されてブレースにかかる力を柱及び／又は横架材に直接伝えさせるジョイント用金物が備えられていることを特徴とするブレースパネル。
【発明の詳細な説明】
【技術分野】
【０００１】
本発明は、建物におけるブレース取付け構造及びブレースパネルに関する。
【背景技術】
【０００２】
軸組ブレース構法では、建築の現場で、柱及び横架材にブレースを取り付けるのが一般的であるが、現場でのブレースの取付けは非常に厄介であることから、現場での省力化を目的として、ブレースをパネルフレームに組み付けたブレースパネルを予め工場で製作しておき、このブレースパネルを用い、現場で、このブレースパネルのパネルフレームを建物の柱や横架材に接合してブレースを建物に備えさせる構法が提案されている。
【発明の開示】
【発明が解決しようとする課題】
【０００３】
しかしながら、ブレースパネルを用いた上記の構法では、ブレースにかかる力がブレースパネルのパネルフレームに流れるため、ブレースパネルがそれに耐えられるだけの性能をもったものでなければならず、そのため、建物の構造設計では、柱や横架材についての設計のほか、ブレースパネルのパネルフレームについての設計も行わなければならず、構造設計の負担が大きくなってしまうという問題がある。
【０００４】
本発明は、上記のような問題点に鑑み、建物へのブレースの組込みを施工容易に行うことができ、しかも、建物に対する構造設計の負担を軽くすることができる、建物におけるブレース取付け構造及びブレースパネルを提供することを課題とする。
【課題を解決するための手段】
【０００５】
上記の課題は、ブレースをパネルフレームに組み付けたブレースパネルを用い、これを建物に組み付けることで建物にブレースを備えさせる、建物におけるブレースの取付け構造において、
前記ブレースパネルのブレースの両端部に、ジョイント用金物が備えられ、該ジョイント用金物が、建物の柱及び／又は横架材に接合され、ブレースにかかる力がジョイント用金物を通じて柱及び／又は横架材に直接伝えられるようになされていることを特徴とする、建物におけるブレース取付け構造によって解決される。
【０００６】
また、ブレースをパネルフレームに組み付けたブレースパネルであって、
ブレースの両端部に、建物の柱及び／又は横架材に接合されてブレースにかかる力を柱及び／又は横架材に直接伝えさせるジョイント用金物が備えられていることを特徴とするブレースパネルによって解決される。
【０００７】
上記の取付け構造及びブレースパネルでは、ブレースの両端部に、ジョイント用金物が備えられ、該ジョイント用金物が、建物の柱及び／又は横架材に接合され、ブレースにかかる力がジョイント用金物を通じて柱及び／又は横架材に直接伝えられるようになされているので、ブレースパネルのパネルフレームに、ブレースから伝えられる力に耐える耐力をもたせる必要がなく、建物の構造設計の負担を軽くすることができる。
【０００８】
しかも、ブレースをパネルフレームに組み付けたブレースパネルを用い、これを建物に組み付けることで建物にブレースを備えさせる取付け構造であり、それを実現することのできるブレースパネルであるから、建物へのブレースの組込みを施工容易に行うことができる。
【発明の効果】
【０００９】
本発明は、以上のとおりのものであるから、建物へのブレースの組込みを施工容易に行うことができ、しかも、建物に対する構造設計の負担を軽くすることができる。
【発明を実施するための最良の形態】
【００１０】
次に、本発明の実施最良形態を図面に基づいて説明する。
【００１１】
図１〜図４に示す実施形態の取付け構造は、鉄骨軸組構造において用いられるもので、１はブレースパネル、２は建物の軸組を構成する鋼製柱、３，３は同横架材としての鋼製梁である。
【００１２】
ブレースパネル１は、図４に示すように、パネルフレーム４にブレース５，５を取り付けたもので、パネルフレーム４は、溝形材からなる左右の縦枠４ａ，４ａと上下の横枠４ｂ，４ｂとを、溝を内向きにして、方形環状に組んで一体化したものである。なお、４ｃは鋼製の縦桟、４ｄは同じく鋼製の横桟である。そして、ブレース５，５は、鋼製のフラットバーからなっていて、それらの両端部がパネルフレーム４の四隅部にジョイントされて正面視Ｘ字状に備えられている。
【００１３】
パネルフレーム４の四隅部へのブレース５，５の端部のジョイントは、図１〜図３に示すように、各ブレース５の両端部に溶接などで接合されて備えられたジョイント用の金物６…を介して行われている。
【００１４】
即ち、このジョイント用金物６は、図２等に示すように、ピース状のアングル材７の側部にプレート８を溶接などで接合一体化させたもので、ブレース５の端部は、プレート８に溶接などで接合されている。また、アングル材７は、パネルフレーム４の隅部において、一方の板部７ａが縦枠４ａの溝内底面に沿わされると共に、もう一方の板部７ｂが横枠４ｂの溝内底面に沿わされ、それらの板部７ａ，７ｂが各枠４ａ，４ｂに溶接などで接合されている。これにより、両ブレース５，５がジョイント用金物６…を介してパネルフレーム４に組み付けられている。また、各ジョイント用金物６のアングル材７の各板部７ａ，７ｂにはそれぞれ、ジョイント用金物６を柱２や梁３，３にジョイントするためのボルトやナット等からなるネジ金具９，１０…が取り付けられている。
【００１５】
建物へのブレースの組込みは、上記のブレースパネル１を用い、図１及び図２に示すように、パネルフレーム４の縦枠４ａと横枠４ｂを、建物の柱２と梁３，３に沿わせるように設置し、ジョイント用金物６のアングル材７の各板部７ａ，７ｂを柱２と梁３にネジ結合してジョイントすることにより行われている。
【００１６】
上記の取付け構造によれば、ブレース５，５にかかる力がジョイント用金物６…を通じて柱２や梁３，３に直接伝えられるので、ブレースパネル１のパネルフレーム４に、ブレース５，５から伝えられる力に耐える耐力をもたせる必要がなく、そのため、建物の構造設計の負担を軽くすることができる。しかも、ブレース５をパネルフレーム４に組み付けたブレースパネル１を用い、これを建物に組み付けることで建物にブレース５を備えさせる構造であるので、建物へのブレースの組込みを施工容易に行うことができる。
【００１７】
以上に、本発明の実施形態を示したが、本発明はこれに限られるものではなく、発明思想を逸脱しない範囲で各種の変更が可能である。例えば、上記の実施形態では、鋼製軸組構造の建物をブレースの取付け対象とした場合を示しているが、取付け対象は材質や構造に関係なく各種建物であってよい。また、ブレースパネルは、パネルフレームにブレースを備えさせた骨組み構造のパネルであってもよいし、パネルフレームにブレースを備えさせ、更に外装面材を取り付けた外装パネルからなっていてもよく、要はブレースが予め組み付けられたパネルであればよい。
【図面の簡単な説明】
【００１８】
【図１】実施形態の取付け構造を示すもので、図（イ）は建物の柱梁とブレースパネルとを分離状態にして示す上側隅部の正面図、図（ロ）はブレースパネルのジョイント用金物に建物の柱梁に接合した状態を示す同正面図である。
【図２】図（イ）はブレースパネルの隅部を示す斜視図、図（ロ）は同隅部において、パネルフレームとジョイント用金物とブレースパネルとを分離状態にして示す斜視図である。
【図３】図（イ）は建物の柱梁とブレースパネルとを分離状態にして示す下側隅部の正面図、図（ロ）はブレースパネルのジョイント用金物に建物の柱梁に接合した状態を示す同正面図である。
【図４】ブレースパネルの全体正面図である。
【符号の説明】
【００１９】
１…ブレースパネル
２…柱
３…梁（横架材）
４…パネルフレーム
５…ブレース
６…ジョイント用金物
【図１】
2005282144.tif 000003
【図２】
2005282144.tif 000004
【図３】
2005282144.tif 000005
【図４】
2005282144.tif 000006